(57)【要約】【課題】ユーザが直観的な操作で回転機能を実現できるユーザインタフェースを有する携帯機器、画像表示制御方法および装置を提供する。【解決手段】表示部１０１と表示部に対応して設けられたタッチ操作部１０２とを有し、さらに、タッチ操作部のタッチ動作を検出するタッチ動作検出部１０３と、タッチ動作がタッチ操作部の両端部で逆方向に移動するスライドタッチである場合、表示部に表示されている画像をスライドタッチによる回転方向に回転させる回転制御部（１０５，１０６）と、を有する。【選択図】図１
2011086035.tif 000002
【特許請求の範囲】
【請求項１】
表示部と前記表示部に対応して設けられたタッチ操作部とを有する携帯機器であって、
前記タッチ操作部のタッチ動作を検出するタッチ動作検出手段と、
前記タッチ動作が前記タッチ操作部の両端部で逆方向に移動するスライドタッチである場合、前記表示部に表示されている画像を前記スライドタッチによる回転方向に回転させる回転制御手段と、
を有することを特徴とする携帯機器。
【請求項２】
前記表示部の両端部で逆方向に移動するスライドタッチが所定移動量以上であれば、前記表示部に表示されている画像を前記回転方向に９０°だけ回転させることを特徴とする請求項１に記載の携帯機器。
【請求項３】
前記表示部の上に前記タッチ操作部が重ねられ、前記表示部の表示画面に応じて前記タッチ操作部が制御されることを特徴とする請求項１または２に記載の携帯機器。
【請求項４】
表示部と前記表示部に対応して設けられたタッチ操作部とを有する携帯機器における画像表示制御方法であって、
前記表示部に画像を表示し、
タッチ動作検出手段が前記タッチ操作部の両端部で逆方向に移動するスライドタッチを検出すると、前記表示部に表示されている画像を前記スライドタッチによる回転方向に回転させる、
ことを特徴とする画像表示制御方法。
【請求項５】
前記表示部の両端部で逆方向に移動するスライドタッチが所定移動量以上であれば、前記表示部に表示されている画像を前記回転方向に９０°だけ回転させることを特徴とする請求項４に記載の画像表示制御方法。
【請求項６】
前記表示部の上に前記タッチ操作部が重ねられ、前記表示部の表示画面に応じて前記タッチ操作部が制御されることを特徴とする請求項４または５に記載の画像表示制御方法。
【請求項７】
表示部と前記表示部に対応して設けられたタッチ操作部とを有する携帯機器における画像表示制御装置であって、
前記タッチ操作部のタッチ動作を検出するタッチ動作検出手段と、
前記タッチ動作が前記タッチ操作部の両端部で逆方向に移動するスライドタッチである場合、前記表示部に表示されている画像を前記スライドタッチによる回転方向に回転させる回転制御手段と、
を有することを特徴とする画像表示制御装置。
【請求項８】
前記表示部の両端部で逆方向に移動するスライドタッチが所定移動量以上であれば、前記表示部に表示されている画像を前記回転方向に９０°だけ回転させることを特徴とする請求項７に記載の画像表示制御装置。
【請求項９】
前記表示部の上に前記タッチ操作部が重ねられ、前記表示部の表示画面に応じて前記タッチ操作部が制御されることを特徴とする請求項７または８に記載の画像表示制御装置。
【請求項１０】
表示部と前記表示部に対応して設けられたタッチ操作部とを有する携帯機器におけるプログラム制御プロセッサに画像表示制御機能を実現するためのプログラムであって、
前記表示部に画像を表示する機能と、
タッチ動作検出手段が前記タッチ操作部の両端部で逆方向に移動するスライドタッチを検出すると、前記表示部に表示されている画像を前記スライドタッチによる回転方向に回転させる機能と、
を前記プログラム制御プロセッサに実現することを特徴とするプログラム。
【発明の詳細な説明】
【技術分野】
【０００１】
本発明は表示部を有する携帯機器に係り、特にその画像表示制御方法および装置に関する。
【背景技術】
【０００２】
携帯電話機、ＰＨＳ（Personal Handy-phone System）、ＰＤＡ（Personal Data Assistance，Personal Digital Assistants：個人向け携帯型情報通信機器）等の携帯端末では、撮影あるいは受信した画像を保存したり、表示部に表示させたりする機能が搭載されている。ところが、携帯端末装置は携帯に便利なように小型にしたものが多く、操作部が小さいために、通常のデスクトップ型のコンピュータに使用されるキーボードから入力する場合と比べると、かなりの困難を伴う場合が多い。そこで、キー操作なしで機能を実現できるタッチパネルに着目したユーザインタフェースが提供されている。
【０００３】
たとえば特許文献１によれば、表示部上に設けられたタッチパネルのタッチ操作を検出して、その操作に応じて画面上のオブジェクトの表示形態を変化させる。具体的には、表示されたオブジェクトを指で押すようなタッチ操作を行うと、そのオブジェクトが画面上で回転して移動する（特許文献１の図６（ａ２）参照）。
【先行技術文献】
【特許文献】
【０００４】
【特許文献１】特開平５−１００８０９号公報
【発明の概要】
【発明が解決しようとする課題】
【０００５】
しかしながら、カメラで撮像した画像や受信した画像などを表示する際、表示画面の縦横の向きを変更したい場合がある。このように画像を回転させたい場合に、上述した特許文献１のように指でオブジェクトを押すというような方法だと直観的にわかりにくい。
【０００６】
そこで本発明の目的は、ユーザが直観的な操作で回転機能を実現できるユーザインタフェースを有する携帯機器、画像表示制御方法および装置を提供することにある。
【課題を解決するための手段】
【０００７】
本発明による携帯機器は、表示部と前記表示部に対応して設けられたタッチ操作部とを有する携帯機器であって、前記タッチ操作部のタッチ動作を検出するタッチ動作検出手段と、前記タッチ動作が前記タッチ操作部の両端部で逆方向に移動するスライドタッチである場合、前記表示部に表示されている画像を前記スライドタッチによる回転方向に回転させる回転制御手段と、を有することを特徴とする。
【０００８】
本発明による画像表示制御方法は、表示部と前記表示部に対応して設けられたタッチ操作部とを有する携帯機器における画像表示制御方法であって、前記表示部に画像を表示し、タッチ動作検出手段が前記タッチ操作部の両端部で逆方向に移動するスライドタッチを検出すると、前記表示部に表示されている画像を前記スライドタッチによる回転方向に回転させる、ことを特徴とする。
【０００９】
本発明による画像表示制御装置は、表示部と前記表示部に対応して設けられたタッチ操作部とを有する携帯機器における画像表示制御装置であって、前記タッチ操作部のタッチ動作を検出するタッチ動作検出手段と、前記タッチ動作が前記タッチ操作部の両端部で逆方向に移動するスライドタッチである場合、前記表示部に表示されている画像を前記スライドタッチによる回転方向に回転させる回転制御手段と、を有することを特徴とする。
【発明の効果】
【００１０】
本発明によれば、ユーザが直観的な操作で表示画像を回転させることができる。
【図面の簡単な説明】
【００１１】
【図１】本発明の一実施形態による携帯機器の画像表示制御に関連する回路構成を示すブロック図である。
【図２】本発明の一実施例による画像表示制御方法を示すフローチャートである。
【図３】本実施例による画像表示制御方法の具体例を示す模式的なフローチャートである。
【発明を実施するための形態】
【００１２】
１．構成
図１において、本発明の一実施形態による携帯機器は、携帯電話端末、ＰＨＳ、ＰＤＡ等であり、操作に必要な各種情報や画像を表示する表示部１０１と、ユーザのタッチを検知するタッチパネル１０２とを有する。タッチパネル１０２は、操作性および小型化の観点から、表示部１０１の上にユーザが画面表示された操作キーなどを見ることができるように重ねられ、これら操作キーに対応して制御されることが望ましい。しかしながら、これに限定されるものではなく、表示部１０１を見ながら操作しやすいような別の位置にタッチパネル１０２を配置することも可能である。
【００１３】
タッチパネル１０２はタッチ動作検出部１０３に接続され、周知のように、タッチ動作検出部１０３はタッチパネル１０２の押圧位置やスライドタッチの方向および移動量などのタッチ動作情報を検出する。
【００１４】
さらに、携帯機器には、撮像画像や受信画像などの画像データを格納する画像メモリ１０４と、後述するように画像データの表示を回転させるための画像データ回転処理部１０５と、携帯機器の動作制御を行う制御部１０６とが設けられている。制御部１０６は、画像メモリ１０４から画像データを読み出して表示部１０１に表示するが、タッチ動作検出１０３により左右両端部分を同時に逆方向にスライドさせるタッチ動作が検出されると、画像データ回転処理部１０５を制御してスライド方向に応じた方向に表示画像を所定角度だけ回転させる。すなわち、画像データ回転処理部１０５は、制御部１０６の指令に従って、画像メモリ１０４から画像データを読み出し、現在の画像データの表示画像に対して回転処理を施し、回転処理された画像データを制御部１０６に返す。
【００１５】
なお、画像データ回転処理部１０５および制御部１０６と同等の機能は、ＣＰＵ(Central Processing Unit)などのプログラム制御プロセッサ上でメモリに格納されたプログラムを実行することにより実現することも可能である。
【００１６】
２．動作
以下、図２および図３を参照しながら、本発明の一実施例による画像表示制御方法を具体的に説明する。まず、図３（ａ）に示すように、画像メモリ１０４に撮像された画像データが格納され、制御部１０６が携帯機器１０の表示部１０１に当該画像を表示しているものとする。なお、本実施例では、タッチパネル１０２は表示部１０１の表示画面上に重ねて搭載されている。
【００１７】
この表示状態でユーザが表示画像に対して所望の処理を施すためにタッチパネル１０２を操作すると、制御部１０６はタッチ動作検出部１０３を通してタッチ動作を検出し（ステップ２０１）、そのタッチ動作に応じた処理を実行する。たとえば、表示部１０１の左右両端を左右の手でそれぞれ掴み、それぞれの親指を表示部１０１の上に乗せているとする。
【００１８】
この状態で、図３（ｂ）に示すように、右手の親指を表示部１０１の右上端から下方向に、同時に左手の親指を左下端から上方向に、それぞれ所定移動量以上スライドタッチする（ステップ２０２）。このタッチ動作を検出すると、制御部１０６は、画像データ回転処理部１０５を制御して表示画像を右９０°だけ回転させる（ステップ２０３）。これにより、図３（ａ）に示す画像は図３（ｃ）に示すように回転した状態で表示される。
【００１９】
同様に、図３（ｄ）に示すように、右手の親指を表示部１０１の右下端から上方向に、同時に左手の親指を左上端から下方向に、それぞれ所定移動量以上スライドタッチする（ステップ２０４）。このタッチ動作を検出すると、制御部１０６は、画像データ回転処理部１０５を制御して表示画像を左９０°だけ回転させる（ステップ２０５）。これにより、図３（ａ）に示す画像は図３（ｅ）に示すように回転した状態で表示される。
【００２０】
言い換えれば、あたかも表示画像を回転させるための力のモーメントが生じるかのように左右両端部を同時にスライドタッチするだけで、表示画像を所望の方向に回転させることができる。
【００２１】
３．効果
上述したように、本実施例によれば、タッチパネルの右端と左端を同時に逆方向にスライドタッチすることで表示された画像を回転させることができるので、画像の回転に関してユーザの直観的な操作が可能となりストレスを軽減することができる。また、回転操作用のボタンを設ける必要がないため、表示画面をより広くできる。なお、操作部（キーなど）がタッチパネルで構成されている場合も同様に、画面の右端、左端を逆方向にスライドさせて画像の回転機能を実現することができる。
【産業上の利用可能性】
【００２２】
本発明は、携帯電話機、ＰＨＳ、ＰＤＡ等の携帯端末であって、撮影画像などを表示できる表示部を有するものに適用可能である。
【符号の説明】
【００２３】
１０  携帯機器
１０１  表示部
１０２  タッチパネル
１０３  タッチ動作検出部
１０４  画像メモリ
１０５  画像データ回転処理部
１０６  制御部
【図１】
2011086035.tif 000003
【図２】
2011086035.tif 000004
【図３】
2011086035.tif 000005